(57)【要約】【課題】簡便な工程を用いて製造することができ、シリコーンゴムパウダーの質量に対して、白金金属含有量が３．５質量ｐｐｍ以下である、低白金量のヒドロシリル化反応架橋性シリコーンゴムパウダーおよびその製造方法を提供する。【解決手段】ヒドロシリル化反応架橋性シリコーンゴムパウダーを、少なくとも１種類以上の界面活性剤を含んでなる３０℃〜９９℃に加温した水溶液により水洗する工程を含む、ヒドロシリル化反応架橋性シリコーンゴムパウダーの製造方法。当該製造方法により得られた、白金金属含有量が３．５質量ｐｐｍ以下である、ヒドロシリル化反応架橋性シリコーンゴムパウダーおよびその用途（化粧料原料および化粧料を含む）。【選択図】なし【特許請求の範囲】
【請求項１】
白金金属含有量が３．５質量ｐｐｍ以下である、ヒドロシリル化反応架橋性シリコーンゴムパウダー。
【請求項２】
白金金属含有量が１．５〜３．０質量ｐｐｍの範囲である、請求項１に記載のヒドロシリル化反応架橋性シリコーンゴムパウダー。
【請求項３】
ヒドロシリル化反応架橋性シリコーンゴムパウダーが、少なくとも１種類以上の界面活性剤を含んでなる３０℃〜９９℃に加温した水溶液により水洗する工程を少なくとも有する製造方法により得られたことを特徴とする、請求項１または請求項２に記載のヒドロシリル化反応架橋性シリコーンゴムパウダー。
【請求項４】
請求項１〜３のいずれかに記載の材料を含有してなる、化粧料原料。
【請求項５】
請求項１〜３いずれかに記載の材料を含有してなる、化粧料。
【請求項６】
１種類以上の界面活性剤の水溶液を用いてシリコーンゴムパウダーを水洗することにより、シリコーンゴムパウダー中の白金含有量を低減すること特徴とする、ヒドロシリル化反応架橋性シリコーンゴムパウダーの製造方法。
【請求項７】
前記の１種類以上の界面活性剤の水溶液が、ポリオキシエチレンアルキルエーテルまたはスルホコハク酸ジエチルヘキシルナトリウムを含んでなる３０℃〜９９℃に加温した水溶液である、請求項６に記載のヒドロシリル化反応架橋性シリコーンゴムパウダーの製造方法。
【請求項８】
請求項６または請求項７に記載のヒドロシリル化反応架橋性シリコーンゴムパウダーの製造方法であって、
（Ａ）一分子中に少なくとも２個のアルケニル基を有するオルガノポリシロキサン、
（Ｂ）一分子中に少なくとも２個のケイ素原子結合水素原子を有するオルガノハイドロジェンポリシロキサン、および
（Ｃ）白金系触媒  成分（Ａ）と成分（Ｂ）を架橋させてなる硬化物の質量に対して白金金属含有量が５．０質量ｐｐｍ以上となる量
を含有してなるヒドロシリル化反応架橋性シリコーンゴム組成物を硬化させて、シリコーンゴムパウダーを得る工程の後、
（Ｄ）１種類以上の界面活性剤を０．１質量％以上含み、３０℃〜９９℃に加温した水溶液  シリコーンゴムパウダー１００質量部に対して５０質量部以上となる量を用いて、得られたシリコーンゴムパウダーを少なくとも１回以上水洗する工程を行うことにより、白金金属含有量が３．５質量ｐｐｍ以下であるシリコーンゴムパウダーを得ることを特徴とする方法。
【発明の詳細な説明】
【技術分野】
【０００１】
本発明は、簡便な工程を用いて製造することができ、シリコーンゴムパウダーの質量に対して、白金金属含有量が３．５質量ｐｐｍ以下である、低白金量のヒドロシリル化反応架橋性シリコーンゴムパウダーに関する。また、本発明はその化粧料原料または化粧料に関する用途に関するものである。さらに本発明は、シリコーンゴムパウダーの製造工程または第三者から購買したシリコーンゴムパウダーの後処理工程に容易に適用可能な、白金金属量の低減を目的とするヒドロシリル化反応架橋性シリコーンゴムパウダーの製造方法に関するものである。
【背景技術】
【０００２】
シリコーンゴムパウダーは、化粧料に配合され、その使用感を向上させることができるため、油性／水系を問わず、化粧料、外用剤、医薬部外品の原料として幅広く使用されている。特に、白金系金属を含有するヒドロシリル化反応触媒を用いるヒドロシリル化反応架橋性シリコーンゴムパウダーは、硬化が速く、反応の制御が容易であり、かつ、様々な硬化条件を選択できるため、シリコーンゴムパウダーとして広く用いられている。
【０００３】
例えば、ヒドロシリル化反応架橋性シリコーンゴムパウダーの製造法として、ヒドロシリル化反応架橋性の液状シリコーンゴム組成物を熱風中に噴霧して硬化させる方法（特開昭５９−６８３３３号公報参照）、液状シリコーンゴム組成物を、界面活性剤を用いて水中に分散した状態で硬化させ、次いで水を除去する方法（特開昭６２−２４３６２１号公報および特開昭６３−７７９４２号公報および特開昭６４−７０５５８号公報参照）が挙げられる。ここで、均一な球状のシリコーンゴムパウダーを効率よく調製できることから、液状シリコーンゴム組成物を水中に分散させて硬化させる方法が最も好ましい。
【０００４】
しかしながら、公知の製造法において、ヒドロシリル化反応架橋性シリコーンゴムパウダーには、硬化に用いるヒドロシリル化反応触媒中に含まれる白金系金属が、シリコーンゴムパウダーの表面または内部に架橋を通じて取り込まれ、シリコーンゴムパウダーの製品中に残留する。ここで、シリコーンゴムパウダー中の白金金属は、他の化粧料原料と反応して変質や着臭を招いたり、白金黒や金属錯体を形成して着色の原因になったりするため、可能な限り、より具体的には、全体の３．５質量ｐｐｍ以下となる程度まで、シリコーンゴムパウダー中の白金金属量が低減されていることが望ましい。
【０００５】
しかしながら、ヒドロシリル化反応触媒中に含まれる白金金属はシリコーンゴムの架橋構造中に取り込まれており、異物の除去を目的とする通常の水洗工程では白金金属を除去することはできない。同様に、未反応の不揮発分の除去等を目的とした公知の有機溶媒による処理工程によっても、シリコーンゴムパウダー中の白金金属量を十分に低減することができない問題があった。さらに、有機溶媒による処理方法は、環境負荷の増大に加え、得られたシリコーンゴムパウダー中に刺激性の強い有機溶媒が残留したり、溶媒による着臭の問題を生じたりするため、低白金量のシリコーンゴムパウダーからなる化粧料を得る目的には使用できない場合がある。
【０００６】
一方、前記の公知文献、例えば、特開昭６４−７０５５８号公報や特開２０１０−１３２８７８号公報等には、白金金属含有量が１〜１００ｐｐｍ程度でも硬化反応に用いることができる旨が言及されている。しかしながら、５質量ｐｐｍ未満のヒドロシリル化反応使用量では製造時間が長くなりすぎ、実際のシリコーンゴムパウダーの工業的生産工程においては、経済性を鑑みて、白金金属含有量が５〜２０質量ｐｐｍ程度の条件を採用することが一般的である（各文献の実施例参照）。仮にこれ以下の白金量となる反応条件を、工業的スケールで採用した場合、サイクルタイムの増大によって、経済的な見地から生産を実施することが困難となる。
【０００７】
このため、前記の公知文献には白金金属含有量が３．５質量ｐｐｍ以下であるヒドロシリル化反応架橋性シリコーンゴムパウダーが具体的に開示されていないだけでなく、前記の公知文献の開示に従う限り、現実の工業的生産工程において、低白金量のヒドロシリル化反応架橋性シリコーンゴムパウダーを得ることができないという問題があった。
【０００８】
なお、これらの公知文献には、液状シリコーンゴム組成物を、界面活性剤を用いて水中に分散した状態で白金系金属を含有するヒドロシリル化反応触媒により硬化させ、次いで水を除去するシリコーンゴムの製造法は開示されているが、得られたシリコーンゴムパウダーをノニオン系界面活性剤の水溶液を用いて水洗することは記載も示唆もされていない。
【０００９】
また、特開２０１０−１３２８７８号公報または特開２０１０−１３２８７７号公報には、硬化前の液状シリコーンゴム組成物のエマルジョン中に白金族金属系触媒を添加する場合、水に対する分散性が悪い場合には、界面活性剤に溶解した状態でエマルジョンに添加すること（例えば、特開２０１０−１３２８７８号公報の段落００４５）は開示されているが、得られたシリコーンゴムパウダーをノニオン系界面活性剤の水溶液を用いて水洗することは記載も示唆もされていない。
【先行技術文献】
【特許文献】
【００１０】
【特許文献１】特開昭５９−６８３３３号公報
【特許文献２】特開昭６２−２４３６２１号公報
【特許文献３】特開昭６３−７７９４２号公報
【特許文献４】特開昭６４−７０５５８号公報
【特許文献５】特開２０１０−１３２８７７号公報
【特許文献６】特開２０１０−１３２８７８号公報
【発明の開示】
【発明が解決しようとする課題】
【００１１】
本発明の目的は、工業的生産に適用可能なスケールで、簡便な工程を用いて製造することができ、他の化粧料原料に悪影響を及ぼさず、着臭、着色の問題を生じることがない低白金量のヒドロシリル化反応架橋性シリコーンゴムパウダーを提供することを目的とする。同様に、本発明の目的は、前記の低白金量のヒドロシリル化反応架橋性シリコーンゴムパウダーの用途および好適な製造方法を提供することを目的とする。
【課題を解決するための手段】
【００１２】
本発明者らは、鋭意検討した結果、ヒドロシリル化反応により得られた架橋性シリコーンゴムパウダーを、１種類以上の界面活性剤の水溶液、より好適には、ポリオキシエチレンアルキルエーテルまたはスルホコハク酸ジエチルヘキシルナトリウムを含んでなる３０℃〜９９℃に加温した水溶液により水洗することでヒドロシリル化反応架橋性シリコーンゴムパウダー中の白金金属含有量を極めて効果的に低減できる事を見出し、かかる方法を用いることにより、上記課題を解決できることを見出し、本発明に到達した。
【００１３】
また、本発明者らは、上記方法により、白金金属含有量が３．５質量ｐｐｍ以下である、ヒドロシリル化反応架橋性シリコーンゴムパウダーを実現できること、それを用いた好適な用途（化粧料原料または化粧料）を実現できることを見出し、本発明に到達した。
【００１４】
すなわち、上記目的は、
「[1]  白金金属含有量が３．５質量ｐｐｍ以下である、ヒドロシリル化反応架橋性シリコーンゴムパウダー。
[2]  白金金属含有量が１．５〜３．０質量ｐｐｍの範囲である、[1]に記載のヒドロシリル化反応架橋性シリコーンゴムパウダー。
[3]  ヒドロシリル化反応架橋性シリコーンゴムパウダーが、少なくとも１種類以上の界面活性剤を含んでなる３０℃〜９９℃に加温した水溶液により水洗する工程を有する製造方法により得られたことを特徴とする、[1]または[2]に記載のヒドロシリル化反応架橋性シリコーンゴムパウダー。
[4]  [1]〜[3]のいずれかに記載の材料を含有してなる、化粧料原料。
[5]  [1]〜[3]のいずれかに記載の材料を含有してなる、化粧料。
[6]  １種類以上の界面活性剤の水溶液を用いてシリコーンゴムパウダーを水洗することにより、シリコーンゴムパウダー中の白金含有量を低減すること特徴とする、ヒドロシリル化反応架橋性シリコーンゴムパウダーの製造方法。
[7]  前記の１種類以上の界面活性剤の水溶液が、ポリオキシエチレンアルキルエーテルまたはスルホコハク酸ジエチルヘキシルナトリウムを含んでなる３０℃〜９９℃に加温した水溶液である、[6]に記載のヒドロシリル化反応架橋性シリコーンゴムパウダーの製造方法。
[8]  [6]または[7]に記載のヒドロシリル化反応架橋性シリコーンゴムパウダーの製造方法であって、
（Ａ）一分子中に少なくとも２個のアルケニル基を有するオルガノポリシロキサン、
（Ｂ）一分子中に少なくとも２個のケイ素原子結合水素原子を有するオルガノハイドロジェンポリシロキサン、および
（Ｃ）白金系触媒  成分（Ａ）と成分（Ｂ）を架橋させてなる硬化物の質量に対して白金金属含有量が５．０質量ｐｐｍ以上となる量
を含有してなるヒドロシリル化反応架橋性シリコーンゴム組成物を硬化させて、シリコーンゴムパウダーを得る工程の後、
（Ｄ）１種類以上の界面活性剤を０．１質量％以上含み、３０℃〜９９℃に加温した水溶液  シリコーンゴムパウダー１００質量部に対して５０質量部以上となる量を用いて、得られたシリコーンゴムパウダーを少なくとも１回以上水洗する工程を行うことにより、白金金属含有量が３．５質量ｐｐｍ以下であるシリコーンゴムパウダーを得ることを特徴とする方法。」により達成される。
【発明の効果】
【００１５】
本発明により、工業的生産に適用可能なスケールで、簡便な工程を用いて製造することができ、他の化粧料原料に悪影響を及ぼさず、着臭、着色の問題を生じることがなく、白金金属含有量が３．５質量ｐｐｍ以下にまで低減された、低白金量のヒドロシリル化反応架橋性シリコーンゴムパウダーを提供することができる。さらに、本発明により、前記の低白金量のヒドロシリル化反応架橋性シリコーンゴムパウダーの用途（化粧料原料または化粧料）および好適な製造方法を提供することができる。
【発明を実施するための最良の形態】
【００１６】
以下、本発明の低白金量のヒドロシリル化反応架橋性シリコーンゴムパウダーおよびその製造方法について、詳細に説明する。
【００１７】
本発明に係るヒドロシリル化反応架橋性シリコーンゴムパウダーは、その白金金属含有量が、３．５質量ｐｐｍ以下であることを特徴とする。工業的生産に適用可能なスケールおよびサイクルタイムの範囲では、ヒドロシリル化反応により得られたシリコーンゴムパウダーには、白金が５．０質量ｐｐｍ以上含まれるものであるが、本発明においては、後述する１種類以上の界面活性剤の水溶液により、得られたシリコーンゴムパウダーを水洗することで、白金金属含有量の低減を実現したものである。
【００１８】
本発明に係るヒドロシリル化反応架橋性シリコーンゴムパウダー中の白金金属含有量は０．０〜３．５質量ｐｐｍの範囲であるが、工業的生産に適用可能なスケールおよびサイクルタイムの範囲では、１．５〜３．０質量ｐｐｍの範囲であることが好ましく、１．６〜２．９質量ｐｐｍの範囲であることが特に好ましい。なお、界面活性剤の水溶液により水洗を長時間に亘って繰り返せば、白金量を０．０〜０．５質量ｐｐｍまで低減することもできるが、実用上は、白金金属含有量が３．５ｐｐｍ質量ｐｐｍ以下、好適には、３．０質量ｐｐｍ以下、最も好適には２．６質量ｐｐｍで、シリコーンゴムパウダー中の白金が他の化粧料原料に悪影響を及ぼさず、着臭、着色の問題を生じないという発明の目的を達成しうる。
【００１９】
本発明に係るヒドロシリル化反応架橋性シリコーンゴムパウダーは特に限定されないが、その平均粒子径は０.１μｍ〜１０ｍｍであることが好ましく、さらには、０.１μｍ〜１ｍｍであることが好ましく、特には、０.１μｍ〜５００μｍであることが好ましい。このシリコーンゴムパウダーの形状としては、例えば、球状、真球状、楕円状、不定形状が挙げられ、特に、球状、真球状であることが好ましい。
【００２０】
また、化粧料原料としての使用の見地から、シリコーンゴムパウダーはべたつきがないことが好ましく、そのゴム硬度は、ヒドロシリル化反応架橋性シリコーンゴム組成物をシート状に硬化させた場合、ＪＩＳ Ｋ６３０１に規定されるＪＩＳ Ａ硬度計による測定で、５〜９９の範囲であることが好ましく、より好ましくは２０〜７０の範囲である。特に、ゴム硬度が前記範囲内であると、得られるシリコーンゴムパウダーは、凝集性が十分に抑えられ、流動性、分散性、さらさら感、なめらかさ、柔らかな感触に富んだものとなりやすい。
【００２１】
このようなシリコーンゴムパウダーを調製する方法は特に限定されないが、例えば、（Ａ）一分子中に少なくとも２個のアルケニル基を有するオルガノポリシロキサン、（Ｂ）一分子中に少なくとも２個のケイ素原子結合水素原子を有するオルガノハイドロジェンポリシロキサン、および（Ｃ）白金系触媒を含有してなるヒドロシリル化反応架橋性シリコーンゴム組成物を硬化させて得られたシリコーンゴム硬化物をグラインダー等の粉砕機により粉砕する方法；ヒドロシリル化反応架橋性シリコーンゴム組成物をスプレードライヤー等の噴霧機により熱風中に噴霧して硬化させる方法；ヒドロシリル化反応架橋性シリコーンゴム組成物を界面活性剤水溶液中に分散させて硬化させる方法が挙げられる。特に、均一な球状のシリコーンゴムパウダーを形成できることから、ヒドロシリル化反応架橋性シリコーンゴム組成物を界面活性剤を用いて水中に分散した状態で硬化させ、次いで水を除去する方法が最も好ましい。
【００２２】
ここで、（Ｃ）白金系触媒の種類は白金微粉末、塩化白金酸、塩化白金酸のアルコール溶液、白金−アルケニルシロキサン錯体、白金−オレフィン錯体、白金−カルボニル錯体、白金黒、白金担持のシリカ等が例示され、好ましくは、白金−アルケニルシロキサン錯体である。その使用量は、工業的生産工程の観点から、成分（Ａ）と成分（Ｂ）を架橋させてなる硬化物の質量に対して白金金属含有量が５．０質量ｐｐｍ以上となる量であり、５〜１００質量ｐｐｍ、より好適には、５〜２０質量ｐｐｍの範囲である。（Ｃ）成分中の白金金属の量が前記下限未満では、サイクルタイムの増大によって、経済的な見地から生産を実施することが困難となる。一方、白金金属の量が前記上限を超えると、大量の白金金属がシリコーンゴムパウダー中に残留する場合があり、低白金量のヒドロシリル化反応架橋性シリコーンゴムパウダーの提供という、本発明の目的が損なわれる。
【００２３】
（Ａ）一分子中に少なくとも２個のアルケニル基を有するオルガノポリシロキサンは、アルケニル基としては、ビニル基、アリル基、ブテニル基、ペンテニル基、ヘキセニル基が例示され、特に、ビニル基、ヘキセニル基が好ましい。また、アルケニル基以外のケイ素原子に結合している基としては、メチル基、エチル基、プロピル基、ブチル基等のアルキル基；シクロペンチル基、シクロヘキシル基等のシクロアルキル基；フェニル基、トリル基、キシリル基等のアリール基；ベンジル基、フェネチル基、３−フェニルプロピル基等のアラルキル基；３−クロロプロピル基、３,３,３−トリフルオロプロピル基等のハロゲン化アルキル基等の非置換もしくは置換の一価炭化水素基が例示される。この分子構造としては、直鎖状、環状、網状、一部分岐を有する直鎖状が例示され、特に、直鎖状、一部分岐を有する直鎖状であることが好ましい。また、この粘度は、ヒドロシリル化反応架橋性シリコーン組成物を水中に分散させることができる粘度であることが好ましい。具体的には、２５℃において、２０〜１００,０００ｍＰａ・ｓの範囲内であることが好ましく、特に、２０〜１０,０００ｍＰａ・ｓの範囲内であることが好ましい。
【００２４】
さらに、得られるヒドロシリル化反応架橋性シリコーンゴムパウダーの吸油性の改善の見地から、（Ａ）成分のオルガノポリシロキサンは、式：-(CH3)2SiO-で示されるジメチルシロキサン単位の含有量が、分子末端のシロキサン単位以外の全シロキサン単位の90モル％以上ことが好ましい。同様に、得られるヒドロシリル化反応架橋性シリコーンゴムパウダーの吸油性の改善の見地から、低重合度（重合度３〜２０）の環状または鎖状オルガノポリシロキサンをストリッピング等で事前に除去しておくことも好ましい。
【００２５】
（Ｂ）分子中に少なくとも２個のケイ素原子結合水素原子を有するオルガノハイドロジェンポリシロキサンにおいて、水素原子以外のケイ素原子に結合している基としては、前記と同様の非置換もしくは置換の一価炭化水素基が例示される。この分子構造としては、直鎖状、環状、網状、一部分岐を有する直鎖状が例示される。また、その粘度は、ヒドロシリル化反応架橋性シリコーン組成物を水中に分散させることができる粘度であることが好ましい。具体的には、２５℃において、１〜１０,０００ｍＰａ・ｓの範囲内であることが好ましい。
【００２６】
成分（Ａ）と成分（Ｂ）の含有量は、上記組成物を付加反応により硬化させる量であれば特に限定されないが、成分（Ｂ）中のケイ素原子結合水素原子１個に対する成分（Ａ）中のアルケニル基の数が０．５〜４．０個となる範囲が好ましく、０．５〜２．０個となる範囲の量がより好ましい。また、成分（Ｂ）の含有量は、上記のアルケニル基を有するオルガノポリシロキサン１００質量部に対して０.３〜５００質量部の範囲内であることが好ましい。
【００２７】
上記のヒドロシリル化反応架橋性シリコーンゴム組成物を界面活性剤水溶液中に乳化して硬化させることにより、ヒドロシリル化反応架橋性シリコーンゴムパウダーの粒径を容易に調製することができる。この界面活性剤としては、ノニオン系、アニオン系、カチオン系、ベタイン系が例示される。界面活性剤の種類や含有量により、得られる硬化シリコーン粒子の粒径が異なる。粒径の小さい硬化シリコーン粒子を調製するためには、この界面活性剤の添加量は、架橋性シリコーンゴム組成物１００質量部に対して０.５〜５０質量部の範囲内であることが好ましい。一方、粒径の大きいシリコーンゴムパウダーを調製するためには、この界面活性剤の添加量は、架橋性シリコーンゴム組成物１００質量部に対して０.１〜１０質量部の範囲内であることが好ましい。なお、分散媒として水の添加量は、架橋性シリコーンゴム組成物１００質量部に対して２０〜１,５００質量部、５０〜１０００質量部の範囲内であることが好ましい。なお、これらの界面活性剤は、化粧料にそのまま配合されるので、本発明に係るシリコーンゴムパウダーは化粧料原料として利用できるものである。
【００２８】
ヒドロシリル化反応架橋性シリコーンゴム組成物を水中に均一に分散させるため乳化機を用いることが好ましい。この乳化機としては、ホモミキサー、パドルミキサー、ヘンシェルミキサー、ホモディスパー、コロイドミル、プロペラ攪拌機、ホモジナイザー、インライン式連続乳化機、超音波乳化機、真空式練合機が例示される。
【００２９】
次いで、上記の方法により調製されたヒドロシリル化反応架橋性シリコーンゴム組成物の水系分散液を、加熱または室温で放置することにより、この水分散液中の架橋性シリコーンゴム組成物を硬化させて、シリコーンゴムパウダーの水系分散液を調製することができる。架橋性シリコーンゴム組成物の水系分散液を加熱する場合には、その加熱温度は１００℃以下であることが好ましく、特に、１０〜９５℃であることが好ましい。また、架橋性シリコーンゴム組成物の水系分散液を加熱する方法としては、例えば、この水系分散液を直接加熱する方法、この水系分散液を熱水中へ添加する方法が挙げられる。次いで、シリコーンゴムパウダーの水系分散液から水を除去することにより、ヒドロシリル化反応架橋性シリコーンゴムパウダーを調製することができる。ヒドロシリル化反応架橋性シリコーンゴムパウダーの水系分散液から水を除去する方法としては、例えば、真空乾燥機、熱風循環式オーブン、スプレードライヤーを用いて乾燥する方法が挙げられる。
【００３０】
なお、上記方法による水分除去工程においては、例え界面活性剤として、ノニオン系の界面活性剤を用いたとしても、水洗工程とは異なり、シリコーンゴムパウダー中の白金金属含有量は低減されない。シリコーンゴムパウダーの架橋系に取り込まれなかった一部の白金含有ヒドロシリル化反応触媒は、水系分散液の状態では水相中に存在していると思われるが、水が乾燥除去された時点でシリコーンゴムパウダーの表面または内部に取り込まれているものと推定される。
【００３１】
なお、ヒドロシリル化反応架橋性シリコーンゴム組成物を硬化させて得られたシリコーンゴム硬化物をグラインダー等の粉砕機により粉砕する方法；ヒドロシリル化反応架橋性シリコーンゴム組成物をスプレードライヤー等の噴霧機により熱風中に噴霧して硬化させる方法のいずれにおいても、シリコーンゴムパウダー中の白金金属含有量は低減されない。
【００３２】
本発明は、上記の方法により得られたシリコーンゴムパウダーを、１種類以上の界面活性剤の水溶液を用いてシリコーンゴムパウダーを水洗することにより、シリコーンゴムパウダー中の白金含有量を低減すること特徴とする。
【００３３】
ノニオン系界面活性剤の水溶液による水洗工程は、白金含有量の高いヒドロシリル化反応架橋性シリコーンゴムパウダーと界面活性剤の水溶液とを接触させる工程と、上記工程後、白金含有量の低減されたヒドロシリル化反応架橋性シリコーンゴムパウダーから界面活性剤の水溶液を排液等により分離する工程とを含む限り特に限定されるものではなく、水洗工程は少なくとも１回以上であれば、所望の白金金属含有量を達成するまで複数回行うこともできる。例えば、攪拌装置等を備えたバッチ式の容器に白金含有量の高いヒドロシリル化反応架橋性シリコーンゴムパウダーと界面活性剤の水溶液とを投入して、所望の時間水相を攪拌あるいは浸漬してシリコーンゴムパウダーの水洗を行った後、白金含有量の低減されたヒドロシリル化反応架橋性シリコーンゴムパウダーを濾過により分離することができる。同様に、メッシュ等の濾過装置上に白金含有量の高いヒドロシリル化反応架橋性シリコーンゴムパウダーを置き、一回あるいは複数回、界面活性剤の水溶液をシリコーンゴムパウダー層上に通貨させることによって水洗を行い、白金含有量の低減されたヒドロシリル化反応架橋性シリコーンゴムパウダーを分離してもよい。
【００３４】
上記の界面活性剤の水溶液による水洗工程は、白金含有量の高いヒドロシリル化反応架橋性シリコーンゴムパウダーの製造とは独立の工程として行うことができ、かつ好ましい。本願発明に係るヒドロシリル化反応架橋性シリコーンゴムパウダーの製造方法は、任意のシリコーンゴムパウダーの白金金属含有量の低減方法としての側面を持ち、既存の設備を用いて、極めて簡便に実施できる利点がある。例えば、第三者が製造した白金含有量の高いヒドロシリル化反応架橋性シリコーンゴムパウダーを、当該シリコーンゴムパウダーを購買した者の所望の設備あるいは装置を用いて、界面活性剤の水溶液により水洗することで、シリコーンゴムパウダーの白金金属含有量を低減することができる。このため、前記のヒドロシリル化反応架橋性シリコーンゴムパウダーを自製していない者であっても、市販の白金含有量の高いヒドロシリル化反応架橋性シリコーンゴムパウダーを用いて、低白金量のシリコーンゴムパウダーを簡便に製造できる実益がある。
【００３５】
上記の界面活性剤の水溶液による水洗工程は、特に、界面活性剤を含有する３０℃〜９９℃に加温した水溶液により行うことが好ましい。加温した水溶液を用いることで、界面活性剤の濃度を上げることができ、シリコーンゴムパウダー上に界面活性剤が析出することを防止することができ、かつ効率よくヒドロシリル化反応架橋性シリコーンゴムパウダー中の白金金属含有量を低減することができる。特に、３５℃〜９９℃に加温した水溶液で水洗することが好ましく、４０℃〜９９℃に加温した水溶液で水洗する事が特に好ましい。また、工程上、熱水の使用が好まれない場合は、４０〜６０℃程度にすることができ、かつ、白金金属量の低減の点から好ましい。なお、攪拌装置等を備えたバッチ式の容器に白金含有量の高いヒドロシリル化反応架橋性シリコーンゴムパウダーと界面活性剤の水溶液とを投入して、所望の時間水相を攪拌あるいは浸漬してシリコーンゴムパウダーの水洗を行う場合、容器自体に加熱あるいは恒温装置が設けられており、上記の温度範囲で水洗を継続できることが特に好ましい。
【００３６】
また、上記水洗後の水溶液を排液等により分離する工程は、特に限定されるものではないが、シリコーンゴムパウダーに対して遠心分離等により、水洗後の水溶液を排液するものであってもよく、かつ好ましい。
【００３７】
上記の界面活性剤の水溶液中の界面活性剤の濃度は、白金金属含有量を低減できれば特に制限されるものではないが、０．１〜１０質量％の範囲であり、０．３質量％以上であることがより好ましく、０．５０〜５．０質量％であることが特に好ましい。
【００３８】
界面活性剤は、アニオン性界面活性剤、カチオン性界面活性剤、ノニオン性界面活性剤、及び、両性界面活性剤からなる群より選ばれる少なくとも１種であってよい。特に、ノニオン性界面活性剤またはアニオン性界面活性剤の使用が好適である。白金金属含有量を効率よく低減する見地から、スルホコハク酸ジエチルヘキシルナトリウム等のα−スルホ脂肪酸エステル塩またはＨＬＢ７．０〜１６．５のポリオキシアルキレンアルキルエーテル類の使用が特に好ましいが、これらに限定されるものではない。
【００３９】
以下に具体的に例示すると、アニオン性界面活性剤として、飽和または不飽和脂肪酸塩（例えば、ラウリン酸ナトリウム，ステアリン酸ナトリウム，オレイン酸ナトリウム，リノレン酸ナトリウム等），アルキル硫酸塩，アルキルベンゼンスルホン酸（例えば、ヘキシルベンゼンスルホン酸，トクチルベンゼンスルホン酸，ドデシルベンゼンスルホン酸等）およびその塩，ポリオキシアルキレンアルキルエーテル硫酸塩，ポリオキシアルキレンアルケニルエーテル硫酸塩，ポリオキシエチレンアルキル硫酸エステル塩，スルホコハク酸アルキルエステル塩，ポリオキシアルキレンスルホコハク酸アルキルエステル塩，ポリオキシアルキレンアルキルフェニルエーテル硫酸塩，アルカンスルホン酸塩，オクチルトリメチルアンモニウムヒドロキシド，ドデシルトリメチルアンモニウムヒドロキシド，アルキルスルホネート，ポリオキシエチレンアルキルフェニルエーテル硫酸塩，ポリオキシアルキレンアルキルエーテル酢酸塩，アルキルリン酸塩，ポリオキシアルキレンアルキルエーテルリン酸塩，アシルグルタミン酸塩，α−アシルスルホン酸塩、アルキルスルホン酸塩、アルキルアリルスルホン酸塩、α−オレフィンスルホン酸塩、アルキルナフタレンスルホン酸塩、アルカンスルホン酸塩、アルキルまたはアルケニル硫酸塩、アルキルアミド硫酸塩、アルキルまたはアルケニルリン酸塩、アルキルアミドリン酸塩、アルキロイルアルキルタウリン塩、Ｎ−アシルアミノ酸塩、スルホコハク酸塩、アルキルエーテルカルボン酸塩、アミドエーテルカルボン酸塩、α−スルホ脂肪酸エステル塩、アラニン誘導体、グリシン誘導体、アルギニン誘導体が例示される。塩としてはナトリウム塩等のアルカリ金属塩、マグネシウム塩等のアルカリ土類金属塩、トリエタノールアミン塩等のアルカノールアミン塩、さらにはアンモニウム塩が挙げられる。
【００４０】
カチオン性界面活性剤として、塩化アルキルトリメチルアンモニウム、塩化ステアリルトリメチルアンモニウム、塩化ラウリルトリメチルアンモニウム、塩化セチルトリメチルアンモニウム、塩化牛脂アルキルトリメチルアンモニウム、塩化ベヘニルトリメチルアンモニウム、臭化ステアリルトリメチルアンモニウム、臭化ベヘニルトリメチルアンモニウム、塩化ジステアリルジメチルアンモニウム、塩化ジココイルジメチルアンモニウム、塩化ジオクチルジメチルアンモニウム、塩化ジ（ＰＯＥ）オレイルメチルアンモニウム（２ＥＯ）、塩化ベンザルコニウム、塩化アルキルベンザルコニウム，塩化アルキルジメチルベンザルコニウム，塩化ベンゼトニウム，塩化ステアリルジメチルベンジルアンモニウム、ラノリン誘導四級アンモニウム塩、ステアリン酸ジエチルアミノエチルアミド、ステアリン酸ジメチルアミノプロピルアミド、塩化ベヘニン酸アミドプロピルジメチルヒドロキシプロピルアンモニウム、塩化ステアロイルコラミノホルミルメチルピリジニウム、塩化セチルピリジニウム、塩化トール油アルキルベンジルヒドロキシエチルイミダゾリニウム、ベンジルアンモニウム塩が例示される。
【００４１】
ノニオン性界面活性剤として、ポリオキシアルキレンエーテル類，ポリオキシアルキレンアルキルエーテル類，ポリオキシアルキレン脂肪酸エステル類，ポリオキシアルキレン脂肪酸ジエステル類，ポリオキシアルキレン樹脂酸エステル類，ポリオキシアルキレン（硬化）ヒマシ油類，ポリオキシアルキレンアルキルフェノール類，ポリオキシアルキレンアルキルフェニルエーテル類，ポリオキシアルキレンフェニルフェニルエーテル類，ポリオキシアルキレンアルキルエステル類，ポリオキシアルキレンアルキルエステル類，ソルビタン脂肪酸エステル，ポリオキシアルキレンソルビタンアルキルエステル類，ポリオキシアルキレンソルビタン脂肪酸エステル類，ポリオキシアルキレンソルビット脂肪酸エステル類，ポリオキシアルキレングリセリン脂肪酸エステル類，ポリグリセリンアルキルエーテル類，ポリグリセリン脂肪酸エステル類，ショ糖脂肪酸エステル類，脂肪酸アルカノールアミド，アルキルグルコシド類，ポリオキシアルキレン脂肪酸ビスフェニルエーテル類，ポリプロピレングリコール，ジエチレングリコール，ポリオキシアルキレン変性シリコーン，ポリグリセリル変性シリコーン，グリセリル変性シリコーン，糖変性シリコーン，フッ素系界面活性剤，ポリオキシエチレン・ポリオキシプロピレンブロックポリマー，アルキルポリオキシエチレン・ポリオキシプロピレンブロックポリマーエーテルが例示される。特に、ポリオキシアルキレン変性シリコーン、ポリグリセリル変性シリコーン、グリセリル変性シリコーン、糖アルコール変性シリコーンは、アルキル分岐、直鎖シリコーン分岐、シロキサンデンドリマー分岐等が親水基と同時に必要に応じ施されていているものを好適に用いることができる。
【００４２】
両性界面活性剤としてイミダゾリン型、アミドベタイン型、アルキルベタイン型、アルキルアミドベタイン型、アルキルスルホベタイン型、アミドスルホベタイン型、ヒドロキシスルホベタイン型、カルボベタイン型、ホスホベタイン型、アミノカルボン酸型、アミドアミノ酸型両性界面活性剤が例示される。具体的には、２−ウンデシル−Ｎ，Ｎ，Ｎ−（ヒドロキシエチルカルボキシメチル）−２−イミダゾリンナトリウム、２−ココイル−２−イミタゾリニウムヒドロキサイド−１−カルボキシエチロキシ２ナトリウム塩等のイミダゾリン型両性界面活性剤；ラウリルジメチルアミノ酢酸ベタイン、ミリスチルベタイン等のアルキルベタイン型両性界面活性剤；ヤシ油脂肪酸アミドプロピルジメチルアミノ酢酸ベタイン 、パーム核油脂肪酸アミドプロピルジメチルアミノ酢酸ベタイン 、牛脂脂肪酸アミドプロピルジメチルアミノ酢酸ベタイン 、硬化牛脂脂肪酸アミドプロピルジメチルアミノ酢酸ベタイン 、ラウリン酸アミドプロピルジメチルアミノ酢酸ベタイン 、ミリスチン酸アミドプロピルジメチルアミノ酢酸ベタイン 、パルミチン酸アミドプロピルジメチルアミノ酢酸ベタイン 、ステアリン酸アミドプロピルジメチルアミノ酢酸ベタイン 、オレイン酸アミドプロピルジメチルアミノ酢酸ベタイン等のアミドベタイン型両性界面活性剤；ヤシ油脂肪酸ジメチルスルホプロピルベタイン等のアルキルスルホベタイン型両性界面活性剤；ラウリルジメチルアミノヒドロキシスルホベタイン等のアルキルヒドロキシスルホベタイン型両性界面活性剤；ラウリルヒドロキシホスホベタイン等のホスホベタイン型両性界面活性剤；Ｎ−ラウロイル−Ｎ’−ヒドロキシエチル− Ｎ’−カルボキシメチルエチレンジアミンナトリウム、Ｎ−オレオイル−Ｎ’−ヒドロキシエチル− Ｎ’−カルボキシメチルエチレンジアミンナトリウム、Ｎ−ココイル−Ｎ’−ヒドロキシエチル−Ｎ’−カルボキシメチルエチレンジアミンナトリウム、Ｎ−ラウロイル−Ｎ’−ヒドロキシエチル− Ｎ’−カルボキシメチルエチレンジアミンカリウム、Ｎ−オレオイル−Ｎ’−ヒドロキシエチル− Ｎ’−カルボキシメチルエチレンジアミンカリウム、Ｎ−ラウロイル−Ｎ−ヒドロキシエチル− Ｎ’−カルボキシメチルエチレンジアミンナトリウム、Ｎ−オレオイル−Ｎ−ヒドロキシエチル− Ｎ’−カルボキシメチルエチレンジアミンナトリウム、Ｎ−ココイル−Ｎ−ヒドロキシエチル− Ｎ’−カルボキシメチルエチレンジアミンナトリウム、Ｎ−ラウロイル−Ｎ−ヒドロキシエチル− Ｎ’, Ｎ’−ジカルボキシメチルエチレンジアミンモノナトリウム、Ｎ−オレオイル−Ｎ−ヒドロキシエチル− Ｎ’, Ｎ’−ジカルボキシメチルエチレンジアミンモノナトリウム、Ｎ−ココイル−Ｎ−ヒドロキシエチル−Ｎ’, Ｎ’−ジカルボキシメチルエチレンジアミンモノナトリウム、Ｎ−ラウロイル−Ｎ−ヒドロキシエチル− Ｎ’, Ｎ’−ジカルボキシメチルエチレンジアミンジナトリウム、Ｎ−オレオイル−Ｎ−ヒドロキシエチル− Ｎ’, Ｎ’−ジカルボキシメチルエチレンジアミンジナトリウム、Ｎ−ココイル−Ｎ−ヒドロキシエチル− Ｎ’, Ｎ’−ジカルボキシメチルエチレンジアミンジナトリウム等のアミドアミノ酸型両性界面活性剤が例示される。
【００４３】
半極性界面活性剤としては、アルキルアミンオキサイド型界面活性剤、アルキルアミンオキサイド、アルキルアミドアミンオキサイド、アルキルヒドロキシアミンオキサイド等が例示され、炭素数１０〜１８のアルキルジメチルアミンオキサイド、炭素数８〜１８のアルコキシエチルジヒドロキシエチルアミンオキサイド等が好ましく用いられる。具体的には、ドデシルジメチルアミンオキサイド、ジメチルオクチルアミンオキサイド、ジエチルデシルアミンオキサイド、ビス−（２−ヒドロキシエチル）ドデシルアミンオキサイド、ジプロピルテトラデシルアミンオキサイド、メチルエチルへキサデシルアミンオキサイド、ドデシルアミドプロピルジメチルアミンオキサイド、セチルジメチルアミンオキサイド、ステアリルジメチルアミンオキサイド、タロウジメチルアミンオキサイド、ジメチル−２−ヒドロキシオクタデシルアミンオキサイド、ラウリルジメチルアミンオキシド、ミリスチルジメチルアミンオキシド、ステアリルジメチルアミンオキシド、イソステアリルジメチルアミンオキシド、ヤシ脂肪酸アルキルジメチルアミンオキシド、カプリル酸アミドプロピルジメチルアミンオキシド、カプリン酸アミドプロピルジメチルアミンオキシド、ラウリン酸アミドプロピルジメチルアミンオキシド、ミリスチン酸アミドプロピルジメチルアミンオキシド、パルミチン酸アミドプロピルジメチルアミンオキシド、ステアリン酸アミドプロピルジメチルアミンオキシド、イソステアリン酸アミドプロピルジメチルアミンオキシド、オレイン酸アミドプロピルジメチルアミンオキシド、リシノレイン酸アミドプロピルジメチルアミンオキシド、１２−ヒドロキシステアリン酸アミドプロピルジメチルアミンオキシド、ヤシ脂肪酸アミドプロピルジメチルアミンオキシド、パーム核油脂肪酸アミドプロピルジメチルアミンオキシド、ヒマシ油脂肪酸アミドプロピルジメチルアミンオキシド、ラウリン酸アミドエチルジメチルアミンオキシド、ミリスチン酸アミドエチルジメチルアミンオキシド、ヤシ脂肪酸アミドエチルジメチルアミンオキシド、ラウリン酸アミドエチルジエチルアミンオキシド、ミリスチン酸アミドエチルジエチルアミンオキシド、ヤシ脂肪酸アミドエチルジエチルアミンオキシド、ラウリン酸アミドエチルジヒドロキシエチルアミンオキシド、ミリスチン酸アミドエチルジヒドロキシエチルアミンオキシド、及びヤシ脂肪酸アミドエチルジヒドロキシエチルアミンオキシドが例示される。
【００４４】
本発明により得られた白金金属含有量が少ないヒドロシリル化反応架橋性シリコーンゴムパウダーは、白金金属含有量が低減された結果、着色が大きく低減されており、ＪＩＳ  Ｚ  ８７２９に規定されるＬ＊ａ＊ｂ＊表色系で測定したｂ＊値が−０．７０以下であるものを比較的容易に得ることができる。好適には、本発明により得られた白金金属含有量が少ないヒドロシリル化反応架橋性シリコーンゴムパウダーは、ｂ＊値が−０．７０〜−０．９０の範囲である。
【００４５】
本発明により得られた白金金属含有量が少ないヒドロシリル化反応架橋性シリコーンゴムパウダーは、他の無機質微粉末および親油性油剤によりで被覆してなる複合硬化シリコーン粉末とすることができる。
【００４６】
本発明により得られた白金金属含有量が少ないヒドロシリル化反応架橋性シリコーンゴムパウダーは、前記の界面活性剤および任意で多価アルコール類等の水系溶媒の密度調整剤を用いて水中に分散させ、水系サスペンジョンとすることができる。同様に、顔料等の他の化粧料原料成分と共に水系サスペンジョンを形成させ、化粧品用プレミックスの形態とすることができる。
【００４７】
本発明により得られた白金金属含有量が少ないヒドロシリル化反応架橋性シリコーンゴムパウダーは、少なくとも１種類以上の油剤に含浸あるいは分散させることにより、親油性シリコーンゴムパウダー組成物の形態とすることができる。特に、ヒドロシリル化反応架橋性シリコーンゴムパウダーは、吸油性に優れるため、化粧料原料として用いると、油っぽさ、べたつきおよび油膜感を効果的に抑制できる利点がある。
【００４８】
本発明により得られた白金金属含有量が少ないヒドロシリル化反応架橋性シリコーンゴムパウダーは、さらに、その表面を加水分解性シラン類またはポリオルガノシルセスキオキサンにより処理することにより、表面処理シリコーンゴムパウダーあるいは複合シリコーンゴムパウダーとして使用することができる。
【００４９】
本発明の白金金属含有量が少ないヒドロシリル化反応架橋性シリコーンゴムパウダーは、工業的スケールで簡便に製造することができ、他の化粧料原料に悪影響を及ぼさず、着臭、着色の問題を生じることがない。さらに、化粧料等に対する分散性や配合安定性が良好であり、これらに配合した場合にシリコーンゴムパウダーの添加効果を十分に発揮することができるので、化粧料原料として有用である。特に、人体への適合性に優れるとともに潤いや滑らかさ等に優れた化粧機能性を有するので、化粧料に配合するシリコーン原料として極めて好適である。
【００５０】
次に、本発明の化粧料原料について説明する。
本発明の化粧料原料は、上記した白金金属含有量が少ないヒドロシリル化反応架橋性シリコーンゴムパウダーを含有してなり、本発明の目的を損なわない範囲であれば、上記した複合硬化シリコーン粉末、水系サスペンジョン、化粧品用プレミックス、油性シリコーンゴムパウダー組成物、表面処理シリコーンゴムパウダーあるいは複合シリコーンゴムパウダーの形態であっても良い。
【００５１】
このような本発明の化粧料原料は、次のような各種原料に添加混合することにより、皮膚に対する適合性が良好であり、かつ、優れた潤いや滑らかさを付与し得る化粧料が得られる。
【００５２】
皮膚化粧料の各種原料としては、前述の界面活性剤、ｐＨ調整剤、防腐剤、防カビ剤、防錆剤などの他に、アボガド油、アルモンド油、オリーブ油、カカオ脂、ゴマ油、小麦胚芽油、サフラワー油、シアバター、タートル油、椿油、パーシック油、ヒマシ油、ブドウ油、マカデミアナッツ油、ミンク油、卵黄油、モクロウ、ヤシ油、ローズヒップ油、硬化油等の油脂；オレンジラフィー油、カルナウバロウ、キャンデリラロウ、鯨ロウ、ホホバ油、モンタンロウ、ミツロウ、ラノリン等のロウ類；流動パラフィン、ワセリン、パラフィン、セレシン、マイクロクリスタリンワックス、スクワラン等の炭化水素；ラウリン酸、ミリスチン酸、パルミチン酸、ステアリン酸、オレイン酸、ベヘニン酸、ウンデシレン酸、オキシステアリン酸、リノール酸、ラノリン酸、合成脂肪酸等の高級脂肪酸；エチルアルコール、イソプロピルアルコール、ラウリルアルコール、セチルアルコール、セトステアリルアルコール、ステアリルアルコール、オレイルアルコール、ベヘニルアルコール、ラノリンアルコール、水素添加ラノリンアルコール、ヘキシルデカノール、オクチルドデカノール、イソステアリルアルコール等のアルコール；コレステロール、ジヒドロコレステロール、フィトステロール等のステロール；リノール酸エチル、ミリスチン酸イソプロピル、ラノリン脂肪酸イソプロピル、ラウリン酸ヘキシル、ミリスチン酸ミリスチル、ミリスチン酸セチル、ミリスチン酸オクチルドデシル、オレイン酸デシル、オレイン酸オクチルドデシル、ジメチルオクタン酸ヘキシルデシル、イソオクタン酸セチル、パルミチン酸セチル、トリミリスチン酸グリセリン、トリ（カプリル・カプリン酸）グリセリン、ジオレイン酸プロピレングリコール、トリイソステアリン酸グリセリン、トリイソオクタン酸グリセリン、乳酸セチル、乳酸ミリスチル、リンゴ酸ジイソステアリル等の脂肪酸エステル；グリセリン、プロピレングリコール、１，３−ブチレングリコール、ポリエチレングリコール、ｄ，ｌ−ピロリドンカルボン酸ナトリウム、乳酸ナトリウム、ソルビトール、ヒアルロン酸ナトリウム等の保湿剤；酸化鉄等の有色顔料、酸化亜鉛、酸化チタン、酸化ジリコニウム等の白色顔料、マイカ、タルク、セリサイト等の体質顔料等の顔料；ジメチルポリシロキサン、メチルフェニルポリシロキサン、オクタメチルテトラシクロシロキサン、デカメチルシクロペンタシロキサン、ポリエーテル変性シリコーンオイル、アミノ変性シリコーンオイル等のシリコーンオイル；精製水；カラギーナン、アルギン酸、アラビアゴム、トラガント、ペクチン、デンプン、キサンタンガム、ポリビニルアルコール、ポリビニルピロリドン、ポリアクリル酸ソーダ、ポリエチレングリコール等の増粘剤、シリコーン・アクリル共重合体、シリコーンレジンやアクリルポリマー等の皮膜形成剤、さらには、紫外線吸収剤、抗菌剤、坑炎症剤、制汗剤、香料、酸化防止剤、噴射剤が例示される。
【００５３】
また、本発明の化粧料原料を毛髪用化粧料に使用する場合には、前述の界面活性剤、ｐＨ調整剤や防腐剤、防カビ剤、防錆剤などの他に、皮膜形成剤、凍結防止剤、油分、乳化剤、湿潤剤、ふけ止め剤、酸化防止剤、キレート剤、紫外線吸収剤、香料、着色料といった各種原料を配合することによって、毛髪への付着性が良好であり、かつ、優れた潤いや滑らかさを付与し得る毛髪用化粧料を得ることができる。
【００５４】
本発明の化粧料原料を配合した具体的な製品としては、リップクリーム、練紅、リップグロス、口紅、リップライナー等の口唇化粧料、アイシャドウ、マスカラ、アイライナー、アイブロー、アイカラー等のアイメイク化粧料、スキンケア化粧料のほか、皮膚洗浄剤製品、制汗剤製品、紫外線防御製品などの皮膚用化粧品；毛髪用洗浄剤製品、整髪料製品、毛髪用着色料製品、養毛料製品、ヘアリンス製品、ヘアコンディショナー製品、ヘアトリートメント製品等の頭髪用化粧品；浴用化粧品；発毛剤、育毛剤、鎮痛剤、殺菌剤、抗炎症剤、清涼剤、皮膚老化防止剤が例示されるが、これらに限定されない。
【００５５】
前記の皮膚用化粧品は、頭皮、顔面（口唇、眉毛、頬を含む）、手指、爪、全身のいずれの部位についても用いることができる。具体的には、クレンジングジェル、クレンジングクリーム、クレンジングフォーム、洗顔クリーム、アイメークアップリムーバー、洗顔フォーム、液体石鹸（ボディソープ）、ハンドソープ、ゲル状石鹸、シェービングクリーム、除光液、アクネ対策化粧料等の皮膚洗浄剤製品；肌用クリーム、頭皮用トリートメント、スキンミルク、ミルクローション、乳液、フェイシャルパック、ボディパウダー、エッセンス、シェービングローション、マッサージ料、等のスキンケア製品；ファンデーション、リキッドファンデーション、油性ファンデーション、メイクアップベース、白粉、フェースパウダー、頬紅、リップクリーム、練紅、リップグロス、アイクリーム、マスカラ、眉墨、まつげ化粧品等のメイクアップ製品；デオドラント等の制汗剤；サンスクリーン剤、日焼け用薬剤（サンタン剤）等の紫外線防御製品が例示される。
【００５６】
前記の頭髪用化粧品は、シャンプー、リンスインシャプー等の毛髪用洗浄剤；ヘアワックス、髪用カール保持剤、セット剤、ヘアクリーム、へアスプレー、ヘアリキッド等の整髪料製品；染毛料、ヘアカラースプレー、ヘアカラーリンス、ヘアカラースティック等の毛髪用着色料製品；ヘアトニック、ヘアトリートメントエッセンス、ヘアパック等の養毛料製品；オイルリンス、クリームリンス、トリートメントリンス、ヘアコンディショナー、ヘアトリートメント等のヘアリンス又はヘアコンディショニング製品が例示される。また、前記の浴用化粧品は、フォームバスが例示される。
【００５７】
本発明にかかる化粧料の形態は特に限定されるものではなく、液状、W/O乳液状、O/W乳液状、Ｗ/Oクリーム状、O/Wクリーム状、固体状、ペースト状、ゲル状、粉末状、多層状、ムース状、ミスト状、顆粒状、フレーク状、碎石状等に好ましく適用が可能である。特に好ましい形態は、Ｗ/Oクリーム状、固体状、ペースト状、ゲル状、粉末状である。
【実施例】
【００５８】
以下、実施例および比較例を示し、本発明を具体的に説明するが、本発明は下記の実施例に限定されるものではない。粘度（動粘度）は２５℃における測定値である。
［白金金属量の測定］
シリコーンゴムパウダーに含まれる白金金属量はICP-MS（Inductively Coupled Plasma Mass Spectrometry）（横河アナリティカルシステムズ製、型番Agilent 7500a）によって測定した値である。
［着色度の測定］
各シリコーンゴムパウダーの着色の程度は、色差計  Color-guide 45°/0°(Gardner製)を使用して測定したb*(黄色目)値を用いて計測した。
【００５９】
［参考例１］
平均式：
ＣＨ2＝ＣＨ(ＣＨ3)2ＳiＯ[(ＣＨ3)2ＳiＯ]130[(ＣＨ3)(ＣＨ2＝ＣＨ)ＳiＯ]2Ｓi(ＣＨ3)2ＣＨ＝ＣＨ2
で示されるジメチルビニルポリシロキサン７７．０質量部、平均式：
(ＣＨ3)3ＳiＯ[(ＣＨ3)2ＳiＯ]51.3[(ＣＨ3)ＨＳiＯ]6.3Ｓi(ＣＨ3)3
で示される分子鎖両末端トリメチルシロキシ基封鎖ジメチルメチルハイドロジェンポリシロキサン２１．５質量部、塩化白金酸のイソプロピルアルコール溶液(本組成物中、白金金属が質量単位で５０ppmとなる量)を５℃で均一に混合して付加反応硬化性シリコーン組成物を調製した。次に、この組成物をポリオキシエチレンイソセチルエーテル１.５質量部と純水５０質量部からなる２５℃の水溶液中に分散し、さらにコロイドミルにより均一に乳化した後、純水５０質量部を加えて希釈してエマルジョンを調製した。
【００６０】
次に、このエマルジョンを加熱硬化させ、シリコーンゴム粒子の均一な水系サスペンジョンを調製した後、１５０℃の熱風循環オーブンにより乾燥して、シリコーンゴム粉末を調製した。このシリコーンゴム粉末は球状であり、平均粒子径は６.２μｍ、ＪＩＳ Ａ硬さは６０であった。また、シリコーンゴム粉末の着色の程度は、ｂ＊  −０．２８であり、白金金属量は、Ｐｔ＝７．２質量ｐｐｍであった。
【００６１】
［実施例１］
参考例１で得たシリコーンゴム粉末１００質量部に、サンノニックＳＳ―１２０（三洋化成製、ポリオキシエチレンアルキルエーテル、ＨＬＢ１４．５）とサンノニックＳＳ―３０（三洋化成製、ポリオキシエチレンアルキルエーテル、ＨＬＢ８．０）を、それぞれ１．５質量部と水３００質量部を加えた。これらを９８℃で１時間加熱撹拌後、ろ過した。残渣に１７０質量部の水を加え、再度ろ過した。残渣を、４０℃のオーブンで、一晩乾燥することにより、シリコーンゴム粉末を得た。得られたシリコーンゴム粉末の着色の程度は、ｂ＊  −０．８２であり、白金金属量は、Ｐｔ＝２．５質量ｐｐｍであった。
【００６２】
［実施例２］
実施例１において、サンノニックＳＳ―１２０とサンノニックＳＳ―３０の代わりに、ＮＩＫＫＯＬ  ＯＴＰ−７５（日光ケミカルズ製、スルホコハク酸ジ（２−エチルヘキシル）ナトリウム液）３質量部を加えた他は、同様にして、シリコーンゴム粉末を得た。得られたシリコーンゴム粉末の着色の程度は、ｂ＊  −０．７４であり、白金金属量は、Ｐｔ＝２．５質量ｐｐｍであった。
【００６３】
［実施例３］
参考例１で得たシリコーンゴム粉末１００質量部に、サンノニックＳＳ―１２０（三洋化成製、ポリオキシエチレンアルキルエーテル、ＨＬＢ１４．５）とサンノニックＳＳ―３０（三洋化成製、ポリオキシエチレンアルキルエーテル、ＨＬＢ８．０）を、それぞれ１．５質量部と水３００質量部を加えた。これらを５０℃で１時間加熱撹拌後、ろ過した。残渣に１７０質量部の水を加え、再度ろ過した。残渣を、４０℃のオーブンで一晩乾燥することにより、シリコーンゴム粉末を得た。得られたシリコーンゴム粉末の着色の程度は、ｂ＊  −０．８９であり、白金金属量は、Ｐｔ＝１．８質量ｐｐｍであった。
【００６４】
［比較例１］
参考例１で得たシリコーンゴム粉末１００質量部に、水３００質量部を加えた。これらを９８℃で４時間加熱撹拌後、ろ過した。残渣を４０℃のオーブンで、一晩乾燥することにより、シリコーンゴム粉末を得た。得られたシリコーンゴム粉末の着色の程度は、ｂ＊  −０．２８であり、白金金属量は、Ｐｔ＝７．２質量ｐｐｍであった。
【００６５】
［比較例２］
参考例１で得たシリコーンゴム粉末１００質量部に、トルエン２００質量部、ＩＰＡ１００重量部を加えて１時間撹拌した。１晩放置後、ろ過した。残渣に２０質量部のトルエンを加え、再度ろ過した。残渣を４０℃のオーブンで、一晩乾燥することにより、シリコーンゴム粉末を得た。得られたシリコーンゴム粉末の着色の程度は、ｂ＊  −０．６９であり、白金金属量は、Ｐｔ＝３．６質量ｐｐｍであった。また、得られたシリコーンゴム粉末はトルエン、ＩＰＡの臭気が着臭していた。
【００６６】
［参考例２、参考例３］
なお、市場において入手可能なシリコーンゴム粉末（シリコーンメーカーＡ社製）の
市販品Ａ１および市販品Ａ２の白金金属量は、各々、Ｐｔ＝８．１質量ｐｐｍ、６．７質量ｐｐｍであった。
【００６７】
以上の結果を、シリコーンゴム粉末中の白金金属含有量について下表１に示す。界面活性剤を含む水溶液（５０℃または９９℃）で処理した場合、比較例または市販品と異なり、白金金属量を３．５質量ｐｐｍ以下まで低減し、かつ、着臭や着色の問題も生じない点で有用であることが確認された。
【００６８】
［表１：各処理により得られたシリコーンゴム粉末中の白金金属含有量］
【表１】
2014122316.tif 000002